(57)【要約】      （修正有）【課題】パーツの組み合わせにより様々な形態に変化し、自由、簡単にオシャレを楽しむことができ、パーツを重くする事で、オシャレな美容器具としても使うことができる自在組み合わせ型アクセサリーを提供する。【解決手段】アクセサリーの構成パーツを細分化して、主要構成パーツ１と付属する単体パーツ７、９の組み合わせ（組立）による、組み立て型アクセサリーである。ユーザーの用途、目的に合わせてピアスやイヤリング等の様々なアクセサリーアイテムに変化、転用する事が出来る。またそれぞれの構成パーツを重くする事で、外観上はアクセサリーでありながら、ブレスレットやベルト等のオシャレな美容器具としても使える。【選択図】図１
0003229752.tif 000002
【実用新案登録請求の範囲】
【請求項１】
ファッションアクセサリーアイテムを、パーツの組み合わせによる組み立て型アクセサリーとする事で、アクセサリーの主たる構成パーツと、それに付属するパーツを組み合わせる事（組立）により、ピアス、イヤリング、イヤーカフス、チョーカー、ネックレス、ブレスレット、ベルト、アンクレットといったアクセサリーアイテムに自在に変化出来る事を特徴とする、自在組み合わせ（組立）型アクセサリー商品群。
【請求項２】
美容効果のある体形補正機能型アクセサリー。
0003229752.tif 000003
クセサリーアイテムそのものでありながら、それぞれのアクセサリーアイテムの構成パーツの一つ一つの重量を重くする事によって、ブレスレット型、ベルト型、アンクレット型
0003229752.tif 000004
【考案の詳細な説明】
【技術分野】
【０００１】  構成パーツの組み合わせにより、身体の様々な部位に着けるアクセサリーアイテムに、形態を自在に変化出来る事を特徴とする。
【背景技術】
【０００２】  従来のアクセサリーは身に着ける部位ごとに個別のアクセサリーであった。
仮に一つの製品で複数の部位に着けることが出来るアクセサリーだと謳っていても、使い勝手が悪く、実用性に乏しかった。
また、従来の美容器具の多くは、ファッション性に乏しく、そのため使用場面が限られていた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】      従来の商品（製品）は、例えばイヤリングはイヤリング、チョーカーはチョーカー、ネックレスはネックレス、ブレスレットはブレスレット、ベルトはベルト、アンクレットはアンクレットとして、それ以外には使えないものがほとんどで、仮に複数の用途に使えたとしても、用途変更が簡単に行えなかった。特にチョーカー、ブレスレット、ベルト、アンクレットのように、体形により様々なサイズを必要とするものは、サイズフリーと称しながらも、実際にはサイズ中央値周辺しか対応しておらず、使用可能な対象者が限定されているのが実情である。
これらの課題をいかに簡単な構造と方法により、ただ一種類でありながら多様なアイテムに自在に変更が可能で、かつファッション商品として魅力ある製品を考案出来るかが大きな課題であった。
また従来の美容器具はファッション性に乏しく、従って使用場面が限られており、その結果、使用頻度も低くなり、美容効果もおのずと限定的でしかなかった。
【課題を解決するための手段】
【０００６】      そこで対象とするアクセサリーアイテムをユーザーによる組立形式とする事で解決出来ないかと検討した。その結果、主要構成パーツとそれに付属する単体パーツの組み合わせにより複数の用途、目的に使用する事が出来、長さも自由に調節可能なアクセサリー製品群を、ただ一種類の製品の組み合わせで対応を可能とする為に、細分化したパーツ製品群の構成パーツそれぞれの考案と、ユーザーによる組み合わせ（組立）型アクセサリーの考案とする事で、課題（問題点）の解決に至った。
またアクセサリーパーツのそれぞれの重量を重くする事によって、単なる美容器具というだけでなく、アクセサリーとしても使用出来ることで、美容器具としての使用頻度は格段に上昇し、長時間の活用を可能とした結果、その美容効果は極めて高い。
特に外観上アクセサリーと識別出来ないため、使用者以外に美容器具の使用状況が分からないため、使用時の使用者のプライバシー効果も大きい。
【考案の効果】
【０００７】      上述の様に、実用性の高いユーザーによる組み合わせ（組立）型アクセサリーの考案により、ユーザーは自由に、何時でも必要とするアクセサリーを手に入れられるだけで無く、接続部位の考案によって、組み立て、接続し易いだけでは無く、外れにくい構造とする事が叶った。その結果、重量のある美容器具としての活用も可能となった。
【図面の簡単な説明】
【０００８】
【図１】
【考案を実施するための形態】
【０００９】  ▲１▼（ピアス）耳への装着機能を有する〔ピアス、イヤリング、イヤーカフス〕を用意し、それに「ピアス」等の装飾部分にあたる付属パーツの「大・中・小」の「中」または「大」を付けるという組み合わせ（組立）により、耳飾り（ピアス、イヤリング、イヤーカフス）を構成する。
▲２▼（チョーカー、ネックレス）耳飾り装飾部分に使う付属パーツの「大・中・小」の「小」または「中」を組み合わせ（組立）て、「チョーカー」、「ネックレス」の主要部分を構成し、それに主要構成パーツの「専用留め具」を連結する事によって装着が可能となり、構成（組立）が完了する。
▲３▼（ブレスレット、アンクレット）耳飾り装飾部分付属パーツ「大・中・小」の「中」もしくは「小」を任意に組み合わせ、一連または二連の「ブレスレット」や「アンクレット」の主要部分を構成（組立）し、それに主要構成パーツの「専用留め具」を連結する事により装着が可能となり、構成（組立）が完了する。
▲４▼（ベルト）「ベルト」の主要部分は付属パーツの「大・中・小」の「大」もしくは「中」によって構成（組立）し、連結することで任意の長さの「ベルト」の主要部分として構成（組立）される。これに主要構成パーツである「専用留め具」の連結により装着可能な「ベルト」として構成される。さらに付属パーツ「大・中・小」の「小」または「中」をベルトの主要部分に装飾パーツとして任意に取り付ける事によって「ベルト」としての構成（組立）が完了する。
【実施例】
【００１０】  ▲１▼ピアス等の耳飾りは、耳装着パーツ（ピアス型、イヤリング型、イヤーカフス型）と付属パーツ（飾りパーツ）「中」または「大」の構成、組み合わせによりピアス、イヤリング、イヤーカフスとして組立られ成立。これを装着。【００１１】▲２▼チョーカーは付属パーツ「小」または「中」の連結によりチョーカー本体を構成し、これを「専用留め具」により装着。【００１２】▲３▼ネックレスは付属パーツ「小」または「中」の連結によりネックレス本体を構成し、これを「専用留め具」により装着。【００１３】▲４▼ブレスレットは付属パーツ「小」または「中」の連結によりブレスレット本体を構成し、これを「専用留め具」により装着。【００１４】▲５▼ベルトは付属パーツ「大」または「中」の連結により任意の長さに「ベルト」本体を構成し、それに任意に付属パーツ「中」または「小」を飾りパーツとして連結し、最後に「専用留め具」にてベルトとして装着。【００１５】▲６▼アンクレットは付属パーツ「中」または「小」の連結によりアンクレット本体を構成し、これを「専用留め具」にて装着。【００１６】付属パーツ「大」「中」「小」の基本サイズは、およそ「大」は４ｃｍ「中」は２，５ｃｍ「小」は１，５ｃｍとし、もしくはこのサイズでの対比を基本とする。
また「専用留め具」（主要構成パーツ）の「大」「中」「小」のサイズも、これに準ずる。【００１７】各種「専用留め具」には、左右それぞれに着脱不可能な「付属パーツ」が接続されている。さらにその左右の「付属パーツ」は「専用留め具」に完全一体固定では無く、その接続部は３６０度回転出来る仕様とする事により、本体を構成する「付属パーツ」が連結によりその向きが縦と横の交互の連続であっても、「専用留め具」との接続の際には、「専用留め具」と一体の「付属パーツ」が自在に回転出来る事により、ユーザーの体形に合わせた任意の長さであっても、装着にあたりねじれる事が無いため、その自由度が確保され、外観上も見た目の良い接続が確保される。【００１８】本案で考案された全ての「主要パーツ」および「付属パーツ」は、その接続部のカット部位の形状および位置によって、単純に接続、連結し易いだけで無く、そのデザイン性を失うことや見た目の違和感を感じること無く、接続、連結後にハズレにくい工夫をする事により、アクセサリーとしてだけでなく、美容器具としての目的のために、該当する全ての構成パーツの重量を重くしても、問題無く使用出来るようになされている。
（図１１パターンＡ、図１２パターンＢにて比較。パターンＢが優れている。）
【産業上の利用可能性】
【・・・・】
【符号の説明】
【００１９】１  ピアス（主要構成パーツ）
２  イヤリング（主要構成パーツ）
３  イヤーカフス（主要構成パーツ）
４  チョウカー、ネックレス、ブレスレット、アンクレット留め具（主要構成パーツ小）
５  チョーカー、ネックレス、ブレスレット、ベルト、アンクレット留め具（主要構成パーツ中）
６  ベルト留め具（主要構成パーツ大）
７  ピアス、イヤリング、イヤーカフス装飾パーツ、チョーカー、ネックレス、ブレスレット、ベルト、アンクレットパーツ（付属パーツ中）
８  チョウカー、ネックレス、ブレスレット、アンクレットパーツ（付属パーツ小）
９  ピアス、イヤリング、イヤーカフス装飾パーツ、ベルトパーツ、（付属パーツ大）
１０全ての主要構成パーツ並びに付属パーツの重量を重くしたパーツ製品
１１各種パーツの接続部のカットの部位及形状Ａパターン
１２各種パーツの接続部のカットの部位及形状Ｂパターン
【配列表フリーテキスト】
【図１】
0003229752.tif 000005
【図２】
0003229752.tif 000006
【図３】
0003229752.tif 000007
【図４】
0003229752.tif 000008
【図５】
0003229752.tif 000009
【図６】
0003229752.tif 000010
【図７】
0003229752.tif 000011
【図８】
0003229752.tif 000012
【図９】
0003229752.tif 000013
【図１０】
0003229752.tif 000014
【図１１】
0003229752.tif 000015
【図１２】
0003229752.tif 000016
【手続補正書】
【提出日】令和2年9月10日(2020.9.10)
【手続補正１】
【補正対象書類名】実用新案登録請求の範囲
【補正対象項目名】全文
【補正方法】変更
【補正の内容】
【実用新案登録請求の範囲】
【請求項１】
アクセサリーの主たる構成パーツ及び前記主たる構成パーツに付属するパーツからなる、自在組み合わせ型アクセサリー。
【請求項２】
前記主たる構成パーツ及び前記付属するパーツのそれぞれの重量を重くした、請求項１に記載の自在組み合わせ型アクセサリー。
【手続補正２】
【補正対象書類名】明細書
【補正対象項目名】０００８
【補正方法】変更
【補正の内容】
【０００８】
【図１】ピアス  関連平面図
【図２】イヤリング  関連平面図
【図３】イヤーカフス  関連平面図
【図４】チョーカー  関連平面図
【図５】ネックレス  関連平面図
【図６】ブレスレット  関連平面図
【図７】ベルト  関連平面図
【図８】アンクレット  関連平面図
【図９】１０、ブレスレット、ベルト、アンクレット  関連平面図
【図１０】各種、留め具  関連平面図
【図１１】Ａパターン  平面図
【図１２】Ｂパターン  平面図